(57)【要約】【課題】過去の所定の時間帯における呈示量の最大値を把握し易い表示装置を提供する。【解決手段】液晶表示器１１１は、目盛りを有する圧力値スケール３７と、この圧力値スケール３７の一部を指し示し、車両の状態量の１つである過給圧力値の現在の指示値を指示する第１の指針３８と、圧力値スケール３７の一部を指し示し、過去の所定の時間帯における過給圧力値の最大値を指示する第２の指針３９と、を出力する。【選択図】図２
2014122812.tif 000002
【特許請求の範囲】
【請求項１】
各種情報を出力する画像表示式の表示部を備え、車両に搭載されて用いられる表示装置であって、
前記表示部は、目盛りを有するスケールと、該スケールの一部を指し示し、前記車両の状態量の１つである呈示量の現在の指示値を指示する第１の指針と、前記スケールの一部を指し示し、過去の所定の時間帯における前記呈示量の最大値を指示する第２の指針と、を出力する、
ことを特徴とする表示装置。
【請求項２】
前記表示部の出力内容を制御する制御部を更に備え、
前記表示部は、第１の時間だけ前から現在までの時間帯における前記呈示量の最大値を指示する前記第２の指針を出力し、
前記制御部は、前記現在の指示値が、前記第１の時間だけ前から現在までの時間帯における前記呈示量の最大値を超えた場合、当該超えた時点から第２の時間が経過するまでの間、前記第２の指針を前記表示部に出力させ、その後、当該出力を停止させる、
ことを特徴とする請求項１に記載の表示装置。
【請求項３】
前記制御部は、前記時点から前記第２の時間が経過するまでの間、前記第２の指針の不透明度が前記時点からの経過時間に従って変化するように、前記第２の指針を前記表示部に出力させる、
ことを特徴とする請求項２に記載の表示装置。
【請求項４】
前記制御部は、前記時点から前記第２の時間が経過するまでの間、前記第２の指針の形状が前記時点からの経過時間に従って変化するように、前記第２の指針を前記表示部に出力させる、
ことを特徴とする請求項２及び請求項３のいずれかに記載の表示装置。
【発明の詳細な説明】
【技術分野】
【０００１】
本発明は、車両に搭載されて用いられる表示装置に関する。
【背景技術】
【０００２】
一般的に、車両には、車速、燃料残量、過給圧力値（ブースト値）等の車両の各種状態量の現在値を使用者に視覚的に呈示するための各種の計器を備える表示装置が搭載される。
【０００３】
例えば、過給圧力値を呈示量として呈示するための計器であって、背景板上に形成されたスケールの一部を、モータにより回転駆動される回転駆動式の指針によって指し示すことにより、現在の過給圧力の測定値を最大値に対する割合として呈示するブースト計を備えた従来の表示装置が知られている。
【０００４】
また、特許文献１には、デジタル表示を用いた数値出力により、呈示量をピークホールド表示する計器を備えた表示装置が開示されている。
【先行技術文献】
【特許文献】
【０００５】
【特許文献１】特開２００２−２２５７３号公報
【発明の概要】
【発明が解決しようとする課題】
【０００６】
上述した従来の表示装置では、呈示量の現在値のみを指針が指示しているため、使用者は過去の所定の時間帯（例えば、直近の数秒間。）における呈示量の最大値を把握できなかった。
【０００７】
また、特許文献１の表示装置では、数値を認識しなければならないため、当該認識に要する使用者の負荷が過大となる虞があった。
【０００８】
本発明は、上述した事情に鑑みてなされたものであり、過去の所定の時間帯における呈示量の最大値を把握し易い表示装置を提供することを目的としている。
【課題を解決するための手段】
【０００９】
前述した目的を達成するために、本発明に係る表示装置は、下記の構成を有している。
（１）  各種情報を出力する画像表示式の表示部を備え、車両に搭載されて用いられる表示装置であって、
前記表示部は、目盛りを有するスケールと、該スケールの一部を指し示し、前記車両の状態量の１つである呈示量の現在の指示値を指示する第１の指針と、前記スケールの一部を指し示し、過去の所定の時間帯における前記呈示量の最大値を指示する第２の指針と、を出力する、
こと。
（２）  上記（１）の構成の表示装置であって、
前記表示部の出力内容を制御する制御部を更に備え、
前記表示部は、第１の時間だけ前から現在までの時間帯における前記呈示量の最大値を指示する前記第２の指針を出力し、
前記制御部は、前記現在の指示値が、前記第１の時間だけ前から現在までの時間帯における前記呈示量の最大値を超えた場合、当該超えた時点から第２の時間が経過するまでの間、前記第２の指針を前記表示部に出力させ、その後、当該出力を停止させる、
こと。
（３）  上記（２）の構成の表示装置であって、
前記制御部は、前記時点から前記第２の時間が経過するまでの間、前記第２の指針の不透明度が前記時点からの経過時間に従って変化するように、前記第２の指針を前記表示部に出力させる、
こと。
（４）  上記（２）の構成の表示装置であって、
前記制御部は、前記時点から前記第２の時間が経過するまでの間、前記第２の指針の形状が前記時点からの経過時間に従って変化するように、前記第２の指針を前記表示部に出力させる、
こと。
【００１０】
上記（１）の構成の表示装置では、呈示量の現在の指示値が第１の指針により指示され、過去の所定の時間帯における呈示量の最大値が第２の指針により指示される。このため、使用者は、呈示量の現在の指示値だけではなく、過去の所定の時間帯における最大値を把握することができる。また、現在の指示値及び最大値が、指針とスケールを用いたスケール表示により呈示されているため、使用者は、これらの値を直感的に把握することができる。
上記（２）の構成の表示装置では、第２の指針が、第１の時間だけ前から現在までの時間帯における呈示量の最大値を指示する。また、呈示量の現在の指示値が、第１の時間だけ前から現在までの時間帯における呈示量の最大値を超えた場合、当該超えた時点から第２の時間が経過するまでの間、第２の指針が前記表示部に表示され、その後、第２の指針が表示されなくなる。このため、使用者は、呈示量の現在の指示値だけではなく、第１の時間だけ前から現在までの時間帯における最大値を把握することができる。また、最大値を超えた時点から第２の時間が経過するまでの間だけ、最大値を指示する第２の指針が表示されるため、使用者は、第２の指針の表示が停止されたことにより、当該時点から第２の時間が経過したことを把握することができる。
上記（３）の構成の表示装置では、呈示量の現在の指示値が第１の時間だけ前から現在までの時間帯における最大値を超え、第２の指針が表示部に表示されてから、当該超えた時点から第２の時間が経過して、第２の指針が表示されなくなるまでの間、第２の指針の不透明度が、当該時点からの経過時間に従って変化する。これにより、例えば、第２の指針が徐々に消えていくアニメーションのような、バリエーションに富んだ表現が可能となる。また、不透明度と経過時間とを対応付けることができるため、使用者は、第２の指針の不透明度から、上記時点からの経過時間を把握することができる。
上記（４）の構成の表示装置では、呈示量の現在の指示値が第１の時間だけ前から現在までの時間帯における最大値を超え、第２の指針が表示部に表示されてから、当該超えた時点から第２の時間が経過して、第２の指針が表示されなくなるまでの間、第２の指針の形状が、当該時点からの経過時間に従って変化する。これにより、例えば、第２の指針が徐々に消えていくアニメーションのような、バリエーションに富んだ表現が可能となる。また、形状と経過時間とを対応付けることができるため、使用者は、第２の指針の形状から、上記時点からの経過時間を把握することができる。
【発明の効果】
【００１１】
本発明によれば、過去の所定の時間帯における呈示量の最大値を把握し易い表示装置を提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本実施形態の表示装置のハードウェアの構成例を示すブロック図である。
【図２】図２（Ａ）及び図２（Ｂ）は、図１に示した表示装置の液晶表示器のグラフィック表示画面を示す図である。
【図３】図３は、第２の指針がフェードインしてからフェードアウトするまでの不透明度のパターンを示すグラフである。
【図４】図４は、液晶表示器に過給圧力値を表示する際の動作手順を示すフローチャートである。
【図５】図５（Ａ）〜図５（Ｃ）は、第２の指針の表示状態の遷移を示す図である。
【図６】図６（Ａ）〜図６（Ｃ）は、第２の指針の不透明度の変化パターンの他の例を示すグラフである。
【図７】図７（Ａ）〜図７（Ｃ）は、第２の指針の形状が変化する場合の表示状態の遷移を示す図である。
【発明を実施するための形態】
【００１４】
以下、本実施形態に係る表示装置について図面を用いて説明する。本実施形態に係る表示装置は、車両に搭載されて用いられる。
【００１５】
図１は、本実施形態の表示装置１００のハードウェアの構成例を示すブロック図である。図１に示すように、表示装置１００は、マイクロコンピュータ（ＣＰＵ：Central Processing Unit）１０１、ＥＥＰＲＯＭ（Electrically Erasable Programmable Read Only Memory）１０２、インタフェース１０３、インタフェース１０４、ＣＰＵ電源部１０５、グラフィックコントローラ１０６、フレームメモリ１０７、Ｘドライバ１０８、Ｙドライバ１０９、ＬＣＤ（Liquid Crystal Display）電源部１１０、及び液晶表示器（ＴＦＴ−ＬＣＤ：Thin Film Transistor Liquid Crystal Display）１１１等を備えている。
【００１６】
マイクロコンピュータ（ＣＰＵ）１０１は、制御部であり、予め用意されたプログラムを実行し、表示装置１００の機能を実現するために必要な様々な処理を行う。例えば、後述する図４のフローチャートに示した処理をマイクロコンピュータ１０１が行う。また、マイクロコンピュータ１０１は、一時的に利用するデータを記憶するためのＲＡＭ（Random Access Memory）１０１ａ、マイクロコンピュータ１０１が実行するプログラムの内容や予め用意された固定データ等を格納するＲＯＭ（Read Only Memory）１０１ｂ、及びイベントが発生してからの経過時間を計時するためのタイマ１０１ｃを内蔵している。例えば、ＲＯＭ１０１ｂに格納される固定データには、後述する第２の指針３９の不透明度の変化パターン（図３参照。）を表すデータが含まれる。尚、当該固定データがＲＯＭ１０１ｂの代わりに後述するＥＥＰＲＯＭ１０２に格納される構成としても構わない。
【００１７】
ＥＥＰＲＯＭ１０２は、書き換え可能な不揮発性のメモリであり、マイクロコンピュータ１０１が実行するプログラムの内容や予め用意された固定データ等を保持している。
【００１８】
インタフェース１０３は、車両側のイグニッションスイッチの状態を表す信号（ＩＧＮ＋）をマイクロコンピュータ１０１に入力する。
【００１９】
インタフェース１０４は、マイクロコンピュータ１０１と車両側の各種制御装置（ＥＣＵ：Electric Control Unit）との間で、ＣＡＮ（Controller Area Network）規格による通信を行うために利用される。具体的には、走行速度、過給圧力値、燃料残量等の車両の各種状態量の現在値を表すデータが、ほぼリアルタイムのデータとして車両側からインタフェース１０４を介してマイクロコンピュータ１０１に入力される。例えば、インタフェース１０４は、車両が所定量移動する毎に当該車両側に搭載された速度センサから出力される車速パルス信号を受け付け、現在の車両の走行速度の値を表す走行速度情報としてマイクロコンピュータ１０１に出力する。
【００２０】
また、インタフェース１０４は、過給機により内燃機関へ強制的に送り込まれる圧縮された空気の圧力を検出する圧力センサから出力される過給圧力値（ブースト値）の現在値を表す信号を受け付け、現在の過給圧力値を表す過給圧力情報としてマイクロコンピュータ１０１に出力する。
【００２１】
ＣＰＵ電源部１０５は、車両側のプラス側電源ライン（＋Ｂ）から供給される直流電力を入力してマイクロコンピュータ１０１の動作に必要な直流電圧（Ｖｃｃ）を生成する。また、必要に応じてリセット信号を生成したり、マイクロコンピュータ１０１から出力されるスリープ信号に従って電力供給を抑制するための動作も行う。
【００２２】
液晶表示器１１１は、表示部であり、液晶デバイスにより構成された多数の微小表示セルをＸ方向及びＹ方向に並べて配置されたカラーの２次元表示画面を有している。液晶表示器１１１は、多数の微小表示セルの表示状態をセル毎に個別に制御することにより、２次元表示画面上に図形、文字、画像等の所望の情報をグラフィック表示して出力することができる画像表示式の表示器である。
【００２３】
図２は、液晶表示器１１１のグラフィック表示画面を示す図である。図２（Ａ）に示すように、グラフィック表示画面は、表示される領域がそれぞれ異なる、第１の表示領域３１、第２の表示領域３２、及び第３の表示領域３３を有している。
【００２４】
第１の表示領域３１は、速度計として、現在の車両の走行速度を表示するための領域である。第１の表示領域３１には、速度スケール３５と指針３６とが表示される。指針３６は、速度スケール３５上の一部を指し示すことで、現在の車両の走行速度を指示する。
【００２５】
第２の表示領域３２は、ブースト計として、現在の過給圧力値（呈示量）及び当該過給圧力値の最大値を表示するための領域である。過給圧力値は、数(１)に示すように、予め設定された最大値に対する割合（パーセント）として呈示される。
【数１】
2014122812.tif 000003
【００２６】
図２（Ｂ）に示すように、第２の表示領域３２には、圧力値スケール３７、第１の指針３８、及び第２の指針３９が表示される。
【００２７】
圧力値スケール３７は、第２の表示領域３２の左端に配置され、図２中における上下方向に延びている。また、圧力値スケール３７には、０，５０，１００の各割合を示す目盛りが設けられている。
【００２８】
第１の指針３８は、図２中における左右方向に延びる棒状の表示要素であり、圧力値スケール３７の右方に（第２の表示領域３２の右端に）当該圧力値スケール３７から所定の距離だけ離れて配置され、時間の経過に伴って圧力値スケール３７に沿うように上下方向に移動する。第１の指針３８は、圧力値スケール３７の一部を指し示し、過給圧力値の現在値である指示値を指示する。即ち、過給圧力値の現在値をスケール表示する。例えば、図２（Ｂ）では、指示値は５０である。
【００２９】
第２の指針３９は、第１の指針と同様、図２中における左右方向に延びる棒状の表示要素である。第２の指針３９は、圧力値スケール３７の一部を指し示し、後述する直近の所定の時間帯における過給圧力値の最大値を指示する。即ち、過給圧力値の最大値をスケール表示する。例えば、図２（Ｂ）では、指示値は約７０である。第２の指針３９は、第１の指針３８及び圧力値スケール３７とは異なる色、若しくは同色で表示される。
【００３０】
第２の指針３９は、過給圧力値の現在の指示値が、直近の時間帯における最大値を超えた場合に、当該超えた時点（以下、更新時点と称する場合がある。）から、予め定められた時間（第２の時間。本実施形態では５秒。）が経過するまでの間だけ、第２の表示領域に表示され、その後、表示されなくなる。また、第２の指針３９は、更新時点の後、時間の経過に伴って、その不透明度が後述する変化パターンに従って最大値（本実施形態では５０％。）から徐々に減少し、第２の時間が経過すると、０％となって表示されなくなる。これにより、第２の指針３９は、更新時点の後、フェードインして表示が開始されると共にフェードアウトして表示が停止され、アニメーションのような表現が可能となる。
【００３１】
図３は、第２の指針３９がフェードインしてからフェードアウトするまでの不透明度の変化パターンを示すグラフである。この変化パターンでは、過給圧力値の現在の指示値が、直近の時間帯における最大値を超えて計時が開始されてから１００ミリ秒までの間、不透明度が値０、つまり０％で留まり、１００ミリ秒から２００ミリ秒にかけて、不透明度が値０．５(５０％)となり、第２の指針３９がフェードインする。そして、第２の指針３９は、２００ミリ秒から２５００ミリ秒にかけて、不透明度が値０．２５(２５％)まで減少してフェードアウトし、さらに、２５００ミリ秒から４９００ミリ秒にかけて、不透明度が値０．２(２０％)まで減少してフェードアウトする。最後の１００ミリ秒、つまり４９００ミリ秒から５０００ミリ秒にかけて、不透明度が値０(０％)まで減少し、第２の指針３９は完全にフェードアウトする。
【００３２】
尚、上述した例では、不透明度の最大値を５０％に設定したが、８０％，４０％等、任意の値に設定してもよい。また、更新時点から第２の指針３９が表示されなくなるまでの所定の時間（第２の時間）として、５秒が設定された場合を示したが、１０秒、２０秒等、任意の時間に設定されてもよい。第２の指針３９の表示動作の詳細については後述する。
【００３３】
第３の表示領域３３は、燃料計として、現在の燃料残量を表示するための領域である。第３の表示領域３３には、燃料スケール４１とバー４０とが表示される。バー４０は、燃料スケール４１上の一部を指し示すことで、現在の燃料残量を表す。
【００３４】
液晶表示器１１１の表示画面のＹ方向の走査位置は、Ｙドライバ１０９の出力により順次に切り替わる。Ｙドライバ１０９は、グラフィックコントローラ１０６から出力される垂直同期信号に同期して、Ｙ方向の走査位置を順次に切り替える。
【００３５】
Ｘドライバ１０８は、グラフィックコントローラ１０６から出力される水平同期信号に同期して、液晶表示器１１１の表示画面のＸ方向の走査位置を順次に切り替える。また、Ｘドライバ１０８は、グラフィックコントローラ１０６から出力されるＲＧＢ各色の画像データを走査位置の表示セルに与えて画面中の表示内容を制御する。
【００３６】
グラフィックコントローラ１０６は、マイクロコンピュータ１０１から入力される様々な命令に従って、様々なグラフィック要素を液晶表示器１１１の画面上に表示する。実際には、画素毎の表示内容を保持するフレームメモリ１０７に対して、マイクロコンピュータ１０１又はグラフィックコントローラ１０６が表示データを書き込み、グラフィックの描画を行う。また、グラフィックコントローラ１０６は、液晶表示器１１１の画面を２次元走査するための垂直同期信号及び水平同期信号を生成し、これらの同期信号に同期したタイミングでフレームメモリ１０７上の該当するアドレスに格納されている表示データを液晶表示器１１１に与える。即ち、マイクロコンピュータ１０１は、グラフィックコントローラ１０６を介して液晶表示器１１１の出力内容を制御する。
【００３７】
ＬＣＤ電源部１１０は、車両側のプラス側電源ライン（＋Ｂ）から供給される直流電力を入力して、液晶表示器１１１の表示に必要とされる所定の直流電力を生成する。
【００３８】
上記構成を有する表示装置１００の具体的な動作を示す。図４は、指示値として過給圧力値を表示する際の動作手順を示すフローチャートである。この動作プログラムは、ＲＯＭ１０２ｂに記憶されており、マイクロコンピュータ（ＣＰＵ）１０１によって実行される。
【００３９】
まず、使用者は、イグニッションスイッチをオンにする。直流電圧（Ｖｃｃ）が供給されたマイクロコンピュータ１０１は、第１の表示領域３１〜第３の表示領域３３における、速度情報、過給圧力値及び燃料値を含む各種情報の表示を開始する。以下では、特に、過給圧力値を表示するための第２の表示領域３２における表示制御について説明する。
【００４０】
ステップＳ１では、マイクロコンピュータ１０１は、後述する指示値の最大値の初期値として値０をＲＡＭ１０１ａに格納し、また、タイマ１０１ｃの経過時間を値０にリセットして初期化する。
【００４１】
ステップＳ２では、マイクロコンピュータ１０１は、タイマ１０１ｃの経過時間が第２の時間（５秒）を超えたか否かを判別する。このルーチンの開始当初は、タイマ１０１ｃが動作していないので、経過時間が所定の時間を超えることはない。経過時間が第２の時間を超えた場合、マイクロコンピュータ１０１は、ステップＳ１に戻り、前述した動作を行う。
【００４２】
一方、タイマ１０１ｃの経過時間が第２の時間を超えていない場合、マイクロコンピュータ１０１は、ステップＳ３の処理を実行し、インタフェース１０４を介して、現在の車両の過給圧力値を表す情報である過給圧力値情報を取得する。ステップＳ４では、マイクロコンピュータ１０１は、この取得した過給圧力値情報をもとに、前述した数（１）に従って、圧力値スケール３７上における目盛り位置（指示値）を算出し、この目盛り位置に対応する指示値のデータをフレームメモリ１０７に転送する。
【００４３】
グラフィックコントローラ１０６は、フレームメモリ１０７に記憶された指示値のデータをもとに、圧力値スケール３７上における第１の指針３８の上下方向の位置を変更するように表示を制御する。
【００４４】
ステップＳ５では、マイクロコンピュータ１０１は、ステップＳ３で取得された現在の指示値が、ＲＡＭ１０１ａに格納されている指示値の最大値より大きいか否かを判別する。現在の指示値が、ＲＡＭ１０１ａに格納されている指示値の最大値以下である場合、マイクロコンピュータ１０１は、ステップＳ２の処理に戻る。
【００４５】
一方、ステップＳ５で現在の指示値がＲＡＭ１０１ａに格納された指示値を超えていた場合、ステップＳ６では、マイクロコンピュータ１０１は、現在の指示値によりＲＡＭ１０１ａに格納された指示値の最大値を上書きする。尚、この処理ルーチンの開始当初であって、ステップＳ５でＲＡＭ１０１ａに格納された指示値の最大値が存在しない場合、マイクロコンピュータ１０１は、ステップＳ６で現在の指示値をそのまま指示値の最大値としてＲＡＭ１０１ａに格納する。
【００４６】
ステップＳ７では、マイクロコンピュータ１０１は、ＲＡＭ１０１ａに格納された指示値の最大値、及びＲＯＭ１０１ｂを参照して取得した不透明度の変化パターンをフレームメモリ１０７に転送する。グラフィックコントローラ１０６は、フレームメモリ１０７に記憶された指示値の最大値及び不透明度の変化パターンをもとに、第２の指針３９の表示制御を開始する。これにより、当該時点から第２の時間が経過するまでの間、第２の指針３９の不透明度が当該時点からの経過時間に従って減少するように、第２の指針３９が液晶表示器１１１に出力される。
【００４７】
続くステップＳ８では、マイクロコンピュータ１０１は、タイマ１０１ｃによる計時を開始させ、ステップＳ３の処理に戻る。
【００４８】
図５は、ステップＳ７でグラフィックコントローラ１０６が第２の指針３９の表示を開始した後における、第２の指針３９の表示状態の遷移を示す図である。図５では、第２の指針３９の不透明度が、図３に示した変化パターンに従って変化する場合を示している。タイマ１０１ｃの経過時間が１００ミリ秒に達すると、第２の指針３９は、不透明度５０％になるように、フェードインして表示される（図５（Ａ）参照。）。さらに、タイマ１０１ｃの経過時間が経過すると、第２の指針３９は、不透明度２５％、２０％と変化し（図５（Ｂ）参照。）、第２の時間である５０００ミリ秒まで残り１００ミリ秒を切ると、不透明度０％になるようにフェードアウトして消えていく（図５（Ｃ）参照。）。
【００４９】
以上説明したように、本実施形態の表示装置では、過給圧力値の現在値が第１の指針３８により指示され、直近の時間帯における過給圧力値の最大値が第２の指針３９により指示される。また、第２の指針３９は、更新時点から第２の時間（５秒）が経過するまでの間だけ、表示される。また、第２の指針３９は、更新時点からの経過時間が長くなるにつれて、不透明度が徐々に減少する。これにより、使用者は直近の時間帯に計測された指示値の最大値及び当該最大値の計測時点からの経過時間を把握することができる。
【００５０】
尚、以上説明した処理において、ステップＳ８でタイマ１０１ｃによる計時を開始した後、当該時点から５秒経過する前に、ステップＳ３で取得された現在の指示値がＲＡＭ１０１ａに格納されている指示値の最大値を超えた場合には（ステップＳ５でＹＥＳ）、現在の指示値でＲＡＭ１０１ａに格納された指示値の最大値が書き換えられ（ステップＳ６）、当該最大値を指し示すように第２の指針３９の表示が開始される（ステップＳ７）。また、タイマ１０１ｃの経過時間が再度値０に設定され、新たにタイマ１０１ｃによる計時が開始される（ステップＳ８）。
【００５１】
一方、ステップＳ８でタイマ１０１ｃによる計時を開始した後、当該時点から５秒間の間に、現在の指示値がＲＡＭ１０１ａに格納されている指示値の最大値を超えなかった場合には、ＲＡＭ１０１ａに格納されている指示値の最大値が値０にリセットされる（ステップＳ１）。この場合には、次に値０以外の指示値を受け付けた際に、ステップＳ８における第２の指針３９の表示が開始される。
【００５２】
即ち、異なる見方をすれば、本実施形態の表示装置１００では、第２の指針３９は、第１の時間（本実施形態では５秒。）だけ前から現在までの直近の時間帯における指示値の最大値を指示していると看做すことができる。そして、マイクロコンピュータ１０１は、現在の指示値が、当該直近の時間帯における指示値の最大値を超えた場合、当該超えた時点（更新時点）から第２の時間（本実施形態では５秒。）が経過するまでの間、第２の指針３９を液晶表示器１１１に出力させ、その後、当該出力を停止させている。このように捉えると、本実施形態では、直近の時間帯の長さを定める第１の時間と、第２の指針３９を出力する時間の長さを定める第２の時間とに同一の時間が設定されている。
【００５３】
このように、本実施形態では、第１の時間と第２の時間には共通の５秒が設定されているが、第１の時間と第２の時間とを異なる長さとしても構わない。例えば、第１の時間を１０秒とし、第２の時間を５秒として、現在の指示値が、１０秒前から現在までの直近の時間帯における指示値の最大値を超えた場合に、当該超えた時点から５秒が経過するまでの間、第２の指針３９が液晶表示器１１１に表示される構成としても構わない。
【００５４】
（変形例１）
図６は、不透明度の変化パターンの他の例を示すグラフである。図６（Ａ）では、不透明度が、時間の経過につれて、滑らかに増加してピーク値となり、その後、滑らかに減少して値０に至るパターンが示されている。
【００５５】
図６（Ｂ）では、最大値が更新された後、不透明度が、即座にピーク値に達し、その後、経過時間に比例して値０まで減少するパターンが示されている。図６（Ｃ）では、図６（Ｂ）と同様、最大値が更新された後、不透明度が、即座にピーク値に達し、その後、ステップ的に値０まで減少するパターンが示されている。
【００５６】
このように、不透明度を漸減させる変化パターンとして、図３の変化パターンの他、図６（Ａ）〜図６（Ｃ）の変化パターンを用いることができる。また、これらのパターンを予めＲＯＭ１０２ｂに登録しておくことで、使用者等がマイクロコンピュータ１０１に接続された操作部を介して所望のパターンを任意に選択して使用可能な構成としても構わない。
【００５７】
（変形例２）
図７は、第２の指針３９の形状が変化する場合の表示状態の遷移を示す図である。この表示例では、図７（Ａ）〜図７（Ｃ）に示すように、第２の指針３９の長さが、時間の経過に従って徐々に短くなり、第２の時間に達すると、第２の指針３９がフェードアウトして消えていく。
【００５８】
このように、上述した実施形態のように、更新時点から第２の時間が経過するまでの間に不透明度が減少して第２の指針３９が表示されなくなる表示形態に代えて、或いはこれに加えて、更新時点から第２の時間が経過するまでの間に第２の指針３９の形状が変化する構成としても構わない。例えば、図７に示したように、第２の指針３９の長さが徐々に減少する態様としてもよいし、拡大率が徐々に減少する態様とすることも考えられる。
【００５９】
以下では、本実施形態に係る表示装置１００の作用及び効果について説明する。
【００６０】
本実施形態に係る表示装置１００は、各種情報を表示する画像表示式の液晶表示器（表示部）１１１を備え、車両に搭載されて用いられる表示装置である。液晶表示器１１１は、目盛りを有する圧力値スケール３７と、この圧力値スケール３７の一部を先端により指し示し、車両の状態量の１つである過給圧力値（呈示量）の現在の指示値を指示する第１の指針３８と、圧力値スケール３７の一部を先端により指し示し、過去の所定の時間帯における過給圧力値の最大値を指示する第２の指針３９と、を出力する。
これにより、過給圧力値の現在の指示値が第１の指針３８により指示され、過去の所定の時間帯における過給圧力値の最大値が第２の指針３９により指示される。このため、使用者は、過給圧力値の現在の指示値だけではなく、過去の所定の時間帯における最大値を把握することができる。また、現在の指示値及び最大値が、指針とスケールを用いたスケール表示により呈示されているため、使用者は、これらの値を直感的に把握することができる。
この結果、本実施形態に係る表示装置１００によれば、過去の所定の時間帯における呈示量の最大値を把握し易い表示装置を提供できる。
【００６１】
また、本実施形態に係る表示装置１００は、液晶表示器１１１の出力内容を制御するマイクロコンピュータ（制御部）１０１を更に備えている。そして、液晶表示器１１１は、第１の時間（例えば５秒。）だけ前から現在までの時間帯における過給圧力値の最大値を指示する第２の指針３９を出力し、マイクロコンピュータ１０１は、現在の指示値が、第１の時間だけ前から現在までの時間帯における過給圧力値の最大値を超えた場合、当該超えた時点（更新時点）から第２の時間（例えば５秒。）が経過するまでの間、第２の指針３９を液晶表示器１１１に出力させ、その後、当該出力を停止させる。
このように、第２の指針３９が、第１の時間だけ前から現在までの時間帯における過給圧力値の最大値を指示する。また、過給圧力値の現在の指示値が、第１の時間だけ前から現在までの時間帯における最大値を超えた場合、当該超えた時点から第２の時間が経過するまでの間、第２の指針３９が液晶表示器１１１に表示され、その後、第２の指針３９が表示されなくなる。このため、使用者は、現在の指示値だけではなく、第１の時間だけ前から現在までの時間帯における最大値を把握することができる。また、最大値を超えた時点から第２の時間が経過するまでの間だけ、第２の指針３９が表示されるため、使用者は、第２の指針３９の表示が停止されたことにより、当該時点から第２の時間が経過したことを把握することができる。
【００６２】
また、本実施形態に係る表示装置１００では、マイクロコンピュータ１０１は、更新時点から第２の時間が経過するまでの間、第２の指針３９の不透明度が更新時点からの経過時間に従って変化するように、第２の指針３９を液晶表示器１１１に出力させる。或いは、変形例２に係る表示装置１００では、マイクロコンピュータ１０１は、更新時点から第２の時間が経過するまでの間、第２の指針３９の形状が更新時点からの経過時間に従って変化するように、第２の指針３９を液晶表示器１１１に出力させる。即ち、マイクロコンピュータ１０１は、更新時点から第２の時間が経過するまでの間、第２の指針３９の表示態様を司る表示パラメータの１つが更新時点からの経過時間に従って変化するように、第２の指針３９を液晶表示器１１１に出力させる。この表示パラメータとしては、上述した不透明度、長さ、及び表示面積の他に色彩や点滅周期等も考えられる。
これにより、不透明度又は形状と経過時間とを対応付けることができるため、使用者は、第２の指針３９の不透明度又は形状から、更新時点からの経過時間を把握することができる。
【００６３】
尚、本発明の技術的範囲は、上述した実施形態に限定されるものではない。上述した実施形態は、本発明の技術的範囲内で種々の変形や改良等を伴うことができる。
【００６４】
例えば、上記実施形態では、過給圧力値を呈示量として表示する場合について例示したが、呈示量は車両の状態量のいずれかであればよく、上述した表示例は、例えば、走行速度、燃料ゲージ値等、種々の状態量の呈示に適用可能である。
【００６５】
また、上記実施形態では、上下方向に目盛り位置が付けられたスケールに対し、指針が上下方向に移動することで、指示値の現在値を指示していたが、左右方向のスケールに対し、指針が左右方向に移動することで指示してもよい。また、左右方向に限らず、任意の角度方向に目盛り位置が付けられたスケールに対し、同様に指示しても構わない。また、スケールは直線状に表示されてもよいし、円弧等の曲線状に表示されてもよい。また、上記実施形態では、指針は、スケールの延在方向である上下方向と垂直な左右方向に延びる形状とされていたが、先端によりスケールの一部を指し示す構成であればよく、スケールの延在方向と交差する方向に延びる構成であっても構わない。
【００６６】
また、上記実施形態では、第２の指針が、第１の時間だけ前から現在までの直近の時間帯における呈示量の最大値を指示する構成としたが、直近ではない過去の所定の時間帯における最大値を指示する構成としても構わない。
【００６７】
また、上記実施形態では、更新時点から第２の時間が経過するまでの間に、第２の指針３９の不透明度が減少するように変化する構成としたが、不透明度が増加するように変化する構成としても構わない。即ち、不透明度と更新時点からの経過時間とが対応付けられていればよい。但し、不透明度が減少してフェードアウトする態様である方が、更新時点からの経過時間の認識に要する使用者の負荷を低減可能である。第２の指針３９の形状についても同様に、長さ又は表示面積が増加する構成であっても構わない。
【符号の説明】
【００６８】
３１  第１の表示領域
３２  第２の表示領域
３３  第３の表示領域
３５  速度スケール
３７  圧力値スケール
３８  第１の指針
３９、３９Ａ  第２の指針
４１  燃料スケール
１００  表示装置
１０１  マイクロコンピュータ
１０１ａ  ＲＡＭ
１０１ｂ  ＲＯＭ
１０１ｃ  タイマ
１０２  ＥＥＰＲＯＭ
１０３，１０４  インタフェース
１０５  ＣＰＵ電源部
１０６  グラフィックコントローラ
１０７  フレームメモリ
１０８  Ｘドライバ
１０９  Ｙドライバ
１１０  ＬＣＤ電源部
１１１  液晶表示器（表示部）
【図１】
2014122812.tif 000004
【図２】
2014122812.tif 000005
【図３】
2014122812.tif 000006
【図４】
2014122812.tif 000007
【図５】
2014122812.tif 000008
【図６】
2014122812.tif 000009
【図７】
2014122812.tif 000010